(57)【要約】【課題】  紙葉群の着脱が自在であるとともに、かつさらに低コストで提供できるファイルバインダを提供する。【解決手段】  ファイルバインダ１０３は、背面板部材２と、突出部材３と、前面板部材６と、を有する。背面板部材２は、下端部５が前方に向かうように曲がっている。突出部材３は、下端部５より上方の部位から前方側に突出する。前面板部材６は、突出部材３の前方端部から下方へ延びている。前面板部材６は下端部５の前方端縁８０よりもさらに下方へ延びており、かつ前方端縁８０との間に間隙８１を形成している。前面板部材６の背面には、後方へ向かって突起する柱状突起部１５が連結している。柱状突起部１５は、背面板部材２の最下端よりも下方に位置し、背面板部材２の前方端縁８０よりも後方へ延び、背面板部材２の本体部４の背面と略同一平面上に達している。【選択図】  図８
2014151574.tif 000002
【特許請求の範囲】
【請求項１】
下端部が前方に向かうように曲がっている背面板部材と、
前記背面板部材の前記下端部より上方の部位から前方側に突出する突出部材と、
前記突出部材の前方端部から下方へ延びている前面板部材と、を備え、
前記前面板部材は前記背面板部材の前記下端部の前方端縁よりもさらに下方へ延びており、かつ当該前方端縁との間に間隙を形成している、ファイルバインダ。
【請求項２】
前記前面板部材の背面から後方へ向かって突起する１以上の柱状突起部を、更に備え、
当該１以上の柱状突起部は、前記背面板部材の最下端よりも下方に位置し、前記背面板部材の前記前方端縁よりも後方へ延びている、請求項１に記載のファイルバインダ。
【請求項３】
前記１以上の柱状突起部は、前記背面板部材を壁面へ当接させたときに、先端が当該壁面に略当接する長さをもって突起している、請求項２に記載のファイルバインダ。
【請求項４】
前記背面板部材は、左右の端縁のうち少なくとも一方端縁が、前記前面板部材の対応する左右の端縁よりも中央側へ後退している、請求項１ないし３のいずれかに記載のファイルバインダ。
【請求項５】
前記前面板部材の一部に、開口部が形成されている、請求項１ないし４のいずれかに記載のファイルバインダ。
【請求項６】
前記前面板部材の少なくとも一部が、透明である、請求項１ないし４のいずれかに記載のファイルバインダ。
【請求項７】
前記背面板部材には、前記突出部材よりも上方の部位を前後に貫通する貫通孔が形成されている、請求項１ないし６のいずれかに記載のファイルバインダ。
【請求項８】
請求項１に記載のファイルバインダと、
当該ファイルバインダに装着可能であり、かつ各々に印刷が施されている複数の紙葉と、を備え、
当該複数の紙葉の各々の一端部には、折り曲げ用のミシン目が形成されている、印刷物セット。
【請求項９】
前記複数の紙葉の各々の前記一端部には、当該複数の紙葉を前記ファイルバインダに装着したときに、当該ファイルバインダの前記前面板部材の最下端縁に対応する部位に、切り取り用のミシン目が形成されている、請求項８に記載の印刷物セット。
【請求項１０】
請求項２又は３に記載のファイルバインダと、
当該ファイルバインダに装着可能であり、かつ各々に印刷が施されている複数の紙葉と、を備え、
当該複数の紙葉の各々の一端部には、当該複数の紙葉を前記ファイルバインダに装着したときに、当該ファイルバインダの前記１以上の柱状突起部に対応する１以上の部位に、貫通孔が形成されており、
前記複数の紙葉の各々の前記一端部には、当該複数の紙葉を前記ファイルバインダに装着したときに、当該ファイルバインダの前記前面板部材の最下端縁に対応する部位に、切り取り用のミシン目が、さらに形成されている、印刷物セット。
【発明の詳細な説明】
【技術分野】
【０００１】
本発明は、複数の紙葉を重ね合わせて保持するファイルバインダ、及び当該ファイルバインダを含む印刷物セットに関する。
【背景技術】
【０００２】
カレンダー月表等が印刷された複数の紙葉（「紙葉群」とも記載する）を綴じる手段として、当該紙葉群の天頂部を、天金具で巻き込んで綴じるもの、接着液により綴じ具を接着することにより綴じるもの、天頂部に形成される穿孔に通されたリングにより綴じるもの、天頂部に沿って形成される多数の穿孔にワイヤーを通して綴じるもの、などが知られている（例えば、特許文献１及び２）。
【０００３】
これら周知の手段では、紙葉群と綴じ具とが一体的に結合するため、紙葉群のうちの一部の紙葉について、印刷ミス等の不良品が発生した場合に、不良品のみを差し替えることが容易でなく、綴じられた紙葉群の全体を廃棄せざるを得ない、という問題点があった。また、ユーザが、綴じられた紙葉群を使用後に廃棄する場合にも、紙葉群と綴じ具とを分別することが容易でなく、紙葉群と綴じ具とを結合したまま、廃棄せざるを得ない、という問題点があった。
【０００４】
これに対して、紙葉群を開閉可能なバインダで綴じてなる、同一出願人による特許文献３及び４に記載される綴じリーフは、これら従来周知の技術が有する問題点を解決する一手段を提供するものと言える。これに対して、紙葉群の着脱が自在であるとともに、かつさらに低コストで提供できるファイルバインダが望まれる。
【先行技術文献】
【特許文献】
【０００５】
【特許文献１】特開平８−３１８６８７号公報
【特許文献２】特開２０００−６５４９号公報
【特許文献３】特許第４９１３２５３号公報
【特許文献４】特許第５０２１０５９号公報
【発明の概要】
【発明が解決しようとする課題】
【０００６】
本発明は上記の問題点に鑑みてなされたもので、紙葉群の着脱が自在であるとともに、より低コストで提供できるファイルバインダを提供することを目的とする。さらに、当該ファイルバインダと、綴じ対象としての紙葉群とを含む印刷物セットを提供することをも、目的とする。
【課題を解決するための手段】
【０００７】
上記課題を解決し上記目的を達成するために、本発明のうち第１の態様に係るものは、ファイルバインダであって、背面板部材と、突出部材と、前面板部材と、を備えている。背面板部材は、下端部が前方に向かうように曲がっている。突出部材は、前記背面板部材の前記下端部より上方の部位から前方側に突出する。前面板部材は、前記突出部材の前方端部から下方へ延びている。前記前面板部材は前記背面板部材の前記下端部の前方端縁よりもさらに下方へ延びており、かつ当該前方端縁との間に間隙を形成している。
【０００８】
この構成によれば、背面板部材と前面板部材との間に、下端の前面板部材側に間隙を有する袋状の空間が形成される。複数の紙葉の上端部を折り曲げ、この折り曲げられてなる上端部を、当該袋状の空間に挿入することにより、複数の紙葉の上端部を当該空間に係止させることができる。このように、上端部が折り曲げられた複数の紙葉を重ねるだけで、当該複数の紙葉を簡易的に綴じることができる。当該ファイルバインダの一形態として、例えば背面板部材を、壁面などに取り付けるのに適した形態とするなど、複数の紙葉を綴じた状態で吊り下げるのに適した形態とすることができる。複数の紙葉は、必ずしも糊付け等により綴じられることを要しないので、当該複数の紙葉に印刷が施された後に、容易に一部を差し替えることが可能である。
【０００９】
複数の紙葉の折り曲げられた上端部を、ステプラー等の簡便な手段により互いに綴じ合わせた状態で、これら複数の紙葉をファイルバインダに装着することも可能である。この場合に、複数の紙葉の提供者は、複数の紙葉を綴じない状態で最終ユーザに提供し、ステプラー等による綴じ合わせは、最終ユーザの手に任せることができる。それにより、提供者は、当該複数の紙葉に印刷が施された後に、容易に一部を差し替えることが可能となる。いずれの装着の仕方であっても、複数の紙葉は、ファイルバインダに容易に装着及び脱着することができるので、複数の紙葉のみを分別廃棄することも容易である。さらに、当該ファイルバインダは構造が簡素であり、開閉機構を要する従来のファイルバインダに比べて、低コストで製造することが可能である。
【００１０】
本発明のうち第２の態様に係るものは、第１の態様に係るファイルバインダであって、  前記前面板部材の背面から後方へ向かって突起する１以上の柱状突起部を、更に備えている。そして、当該１以上の柱状突起部は、前記背面板部材の最下端よりも下方に位置し、前記背面板部材の前記前方端縁よりも後方へ延びている。
【００１１】
この構成によれば、複数の紙葉の上端部付近の共通の部位に１以上の貫通孔を形成し、当該１以上の貫通孔に前記１以上の柱状突起部を挿通させることにより、当該複数の紙葉を、ファイルバインダから、より外れ難い状態で、綴じておくことが可能となる。また、複数の紙葉の上端部を折り曲げることなく、また、ステプラー等により上端部を綴じ合わせることなく、これら複数の紙葉を、互いに綴じることが可能となる。１以上の柱状突起部は、背面板部材の前方端縁よりも後方へ延びているので、この前方端縁と前面板部材との間の間隙を通して、袋状の空間から外部へ延びる複数の紙葉が、１以上の柱状突起部から外れ難い。
【００１２】
本発明のうち第３の態様に係るものは、第２の態様に係るファイルバインダであって、前記１以上の柱状突起部は、前記背面板部材を壁面へ当接させたときに、先端が当該壁面に略当接する長さをもって突起している。
【００１３】
この構成によれば、背面板部材が壁面へ当接するようにファイルバインダを当該壁面に取り付けたときに、１以上の柱状突起部が略壁面に当接することとなるので、ファイルバインダの姿勢が壁面上で安定する。
【００１４】
本発明のうち第４の態様に係るものは、第１ないし第３のいずれかの態様に係るファイルバインダであって、前記背面板部材は、左右の端縁のうち少なくとも一方端縁が、前記前面板部材の対応する左右の端縁よりも中央側へ後退している。
【００１５】
この構成によれば、複数の紙葉を重ね合わせて、前面板部材及び背面板部材の左右のうちの少なくとも一方端縁から、水平にスライドさせることにより、ファイルバインダに装着する作業を、容易に行うことが可能となる。
【００１６】
本発明のうち第５の態様に係るものは、第１ないし第４のいずれかの態様に係るファイルバインダであって、前記前面板部材の一部に、開口部が形成されている。
【００１７】
この構成によれば、当該開口部を通じて、複数の紙葉の最前面に位置する１葉の対応する部位に施された印刷を、目視することが可能となる。
【００１８】
本発明のうち第６の態様に係るものは、第１ないし第４のいずれかの態様に係るファイルバインダであって、前記前面板部材の少なくとも一部が、透明である。
【００１９】
この構成によれば、透明である部位を通じて、複数の紙葉の最前面に位置する１葉の対応する部位に施された印刷を、目視することが可能となる。
【００２０】
本発明のうち第７の態様に係るものは、第１ないし第６のいずれかの態様に係るファイルバインダであって、前記背面板部材には、前記突出部材よりも上方の部位を前後に貫通する貫通孔が形成されている。
【００２１】
この構成によれば、背面板部材に形成された貫通孔を利用して、鋲等の係止具によりファイルバインダを、壁面等に係止させることができる。貫通孔が、突出部材よりも上方の部位に位置するので、ファイルバインダの姿勢が安定する。
【００２２】
本発明のうち第８の態様に係るものは、印刷物セットであって、第１ないし第７のいずれかの態様に係るファイルバインダのうち、第２の態様に係る特徴を具備しないファイルバインダと、当該ファイルバインダに装着可能であり、かつ各々に印刷が施されている複数の紙葉と、を備えている。そして、当該複数の紙葉の各々の一端部には、折り曲げ用のミシン目が形成されている。
【００２３】
この構成によれば、複数の紙葉を折り曲げ用のミシン目に沿って折り曲げ、互いに重ね合わせた状態でファイルバインダに装着することにより、これら複数の紙葉を簡易的に綴じることができる。複数の紙葉の折り曲げられた一端部を、ステプラー等の簡便な手段により互いに綴じ合わせた状態で、これら複数の紙葉をファイルバインダに装着することも可能である。
【００２４】
本発明のうち第９の態様に係るものは、第８の態様に係る印刷物セットであって、前記複数の紙葉の各々の前記一端部には、当該複数の紙葉を前記ファイルバインダに装着したときに、当該ファイルバインダの前記前面板部材の最下端縁に対応する部位に、切り取り用のミシン目が形成されている。
【００２５】
この構成によれば、ファイルバインダの前面板部材の最下端縁を利用しつつ、切り取り用のミシン目に沿って、複数の紙葉の最前面のものから順に、一端部を残して切り捨てることができる。当該印刷物セットのうちの一形態は、例えば、月めくりのカレンダーに適している。
【００２６】
本発明のうち第１０の態様に係るものは、印刷物セットであって、第１ないし第７のいずれかの態様に係るファイルバインダのうち、第２の態様に係る特徴を具備するファイルバインダと、当該ファイルバインダに装着可能であり、かつ各々に印刷が施されている複数の紙葉と、を備えている。そして、当該複数の紙葉の各々の一端部には、当該複数の紙葉を前記ファイルバインダに装着したときに、当該ファイルバインダの前記１以上の柱状突起部に対応する１以上の部位に、貫通孔が形成されている。また、前記複数の紙葉の各々の前記一端部には、当該複数の紙葉を前記ファイルバインダに装着したときに、当該ファイルバインダの前記前面板部材の最下端縁に対応する部位に、切り取り用のミシン目が、さらに形成されている。
【００２７】
この構成によれば、１以上の貫通孔に１以上の柱状突起部が挿通するようにして、複数の紙葉をファイルバインダに装着することにより、これら複数の紙葉を、簡易的に綴じることができる。また、ファイルバインダの前面板部材の最下端縁を利用しつつ、切り取り用のミシン目に沿って、複数の紙葉の最前面のものから順に、一端部を残して切り捨てることができる。当該印刷物セットのうちの一形態は、例えば、月めくりのカレンダーに適している。
【発明の効果】
【００２８】
以上のように本発明によれば、紙葉群の着脱が自在であるとともに、より低コストで提供できるファイルバインダが実現する。さらに、当該ファイルバインダと、綴じ対象としての紙葉群とを含む印刷物セットが得られる。
【図面の簡単な説明】
【００２９】
【図１】本発明の一実施の形態によるファイルバインダの背面斜視図である。
【図２】図１のファイルバインダを使用するための作業手順を例示する工程図である。
【図３】図２に例示する紙葉群の重ね方を例示する側面図である。
【図４】本発明の別の一実施の形態によるファイルバインダの背面斜視図である。
【図５】図４のファイルバインダの正面斜視図である。
【図６】図４のファイルバインダに装着される紙葉を例示する正面斜視図である。
【図７】図４のファイルバインダに装着される紙葉群を準備する手順を例示する工程図である。
【図８】本発明のさらに別の一実施の形態によるファイルバインダを使用するための作業手順を例示する工程図である。
【図９】本発明のさらに別の一実施の形態によるファイルバインダの正面斜視図である。
【図１０】図９のファイルバインダに紙葉群を装着する作業を例示する説明図である。
【図１１】図９のファイルバインダの使用方法を例示する説明図である。
【図１２】本発明のさらに別の実施の形態によるファイルバインダの縦断面図である。
【図１３】本発明のさらに別の実施の形態によるファイルバインダの正面斜視図である。
【発明を実施するための形態】
【００３０】
図１は、本発明の一実施の形態によるファイルバインダの背面斜視図である。なお、本明細書に添付の斜視図の一部は、遠近法を加味して描かれている。「正面」、「背面」、「前」、「後」、「上」、「下」、「左」、「下」、「水平」等の位置又は方向を示す表現は、綴じ対象としての紙葉群を吊り下げるべく、壁面に取り付けて使用するときのファイルバインダの標準的な姿勢を基準とする。図１に例示するファイルバインダ１０１は、壁面等に取り付けて使用に供することができるものである。
【００３１】
ファイルバインダ１０１は、背面板部材２、突出部材３、及び前面板部材６を有している。これらの背面板部材２、突出部材３、及び前面板部材６は、例えば、一体成型されたプラスチックにより形成されている。背面板部材２は、本体部４とその下方に続く下端部５とを含んでいる。本体部４は、取り付け対象となる壁面に沿うように平坦な板状である。下端部５は、前方へ向かうように、本体部４に対して曲がっている。図１では、下端部５は、湾曲することにより前方へ向かっているが、例えば９０度など、角度をもって本体部４から屈曲していてもよい。何れであっても、下端部５が前方へ向かうように、本体部４に対して曲がっていることに変わりはない。
【００３２】
背面板部材２の下端部５よりも上方で、上端縁よりも下方の部位、例えば本体部４の中央付近には、前方に突出する突出部３が連結している。図１の例では、突出部３は、左右に延びる板状体である。突出部３の前方端部には、下方に延びる前面板部材６が連結している。図１の例では、前面板部材６は、背面板部材２の本体部４と、主面同士が平行である。図１の例では、突出部３は、背面板部材２と前面板部材６とを連結するだけでなく、ファイルバインダ１０１に、水平面上の湾曲に対する剛性を付与するリブとしての役割をも果たす。
【００３３】
前面板部材６は、背面板部材２の下端部５の前方端縁８０よりも下方にまで延びており、この前方端縁８０との間に、間隙８１を形成している。この構成により、背面板部材２と前面板部材６との間には、袋状の空間７が形成される。当該空間７は、その下端の前面板部材６の側に間隙８１を有する。図１の例では、下端部５の前方端縁８０は、厚みのある複数の紙葉を、背面板部材２、突出部３あるいは前面板部材６の変形に伴う弾性復元力をもって、押圧することにより、紙葉の脱落を効果的に防止し得るように、鋸歯状ないし波形をなしている。
【００３４】
背面板部材２の上端部には、前後に貫通する貫通孔１が形成されている。この貫通孔１に、釘、鋲、ねじ、又はフック等を挿通させることにより、ファイルバインダ１０１を壁面に容易に取り付けることができる。
【００３５】
背面板部材２は、突出部材３よりも下方で、かつ背面から見て右側の端縁８が、前面板部材６の対応する右側の端縁よりも、中央寄りに後退している。この構成は、複数の紙葉をファイルバインダ１０１に取り付ける作業を、容易化するためのものである。後退した端縁８の利点については、図８を引用しつつ後述する。
【００３６】
図２は、ファイルバインダ１０１を使用に供するために、ファイルバインダ１０１に紙葉を綴じ込む過程を示す作業工程図である。図２のうち図２（ａ）は、ファイルバインダ１０１の正面斜視図である。ファイルバインダ１０１の前面板部材６には、一部に開口部９が形成されている。開口部９は、当該開口部９を通して、紙葉に印刷された内容をユーザ等が前面から目視することを可能にする。
【００３７】
図２（ｂ）に示すように、ファイルバインダ１０１に綴じ込む対象としての複数の紙葉（紙葉群）２０１の各々には、印刷が施されている。図２（ｂ）の例では、紙葉群２０１は、カレンダーの月表５０を含んでいる。各紙葉２０１の上端部には、折り曲げ用ミシン目１１及び切り取り用ミシン目１２が形成されている。これらのミシン目１１、１２は、各紙葉２０１の上端縁に平行に形成されており、かつ当該上端縁から、折り曲げ用ミシン目１１、切り取り用ミシン目１２の順に形成されている。月表５０は、各紙葉２０１のうち、切り取り用ミシン目１２の下方の部分をなしている。なお、本明細書では、紙葉群２０１の各１枚についても、紙葉２０１のように、便宜上同一の符号を付する。
【００３８】
紙葉群２０１の各々は、図２（ｃ）に示すように、折り曲げ用ミシン目１１に沿って、折り曲げられる。これにより、紙葉群２０１の各々において、上端縁に沿った折り返し綴じ代１０が、残余の本体部に対して折り曲げられる。紙葉群２０１がカレンダーの月表５０を含む例では、一例として、ファイルバインダ１０１及び紙葉群２０１は、ともにカレンダー提供業者から、ユーザへ提供される。紙葉群２０１については、年が改まるごとに、新たな年のカレンダーが印刷された紙葉群２０１がユーザに提供される。一例として、ユーザは、折り曲げられずに互いに重ね合わされた紙葉群２０１の提供を受ける。この場合、紙葉群２０１の各々を、折り曲げ用ミシン目１１に沿って折り曲げるのは、ユーザの作業となる。
【００３９】
折り曲げられた紙葉群２０１は、図２（ｄ）に示すように、互いに重ね合わされ、さらに、折り返し綴じ代１０の部分が、互いにステプラーの留め金１４等により、簡便に綴じられる。これにより、紙葉群２０１は、折り返し綴じ代１０の部分において、厚みを増すこととなる。厚みを増した折り返し綴じ代１０の部分を、ファイルバインダ１０１の袋状空間７に挿入することにより、図２（ｅ）に示すように、紙葉群２０１の上端部を、背面板部材２の下端部５に係止させるとともに、間隙８１を通じて紙葉群２０１を下方に垂れるように吊すことができる。ファイルバインダ１０１は、紙葉群２０１を綴じた状態で、背面板部材２の上端部に形成されている貫通孔１を、壁面に固定された釘等に係止させることにより、壁面に容易に掛けたり、固定したりすることができる。
【００４０】
紙葉群２０１の切り取り用ミシン目１２は、紙葉群２０１がファイルバインダ１０１に装着された状態で、前面板部材６の最下端縁８５（図２（ａ）参照）に対応する部位に位置するように形成される。このため、紙葉群２０１を、前面から順に、切り取り用ミシン目１２に沿って容易に切り裂くことができる。それにより、ファイルバインダ１０１及び紙葉群２０１のユーザは、月毎に不要となる前月の月表５０を、容易に切り離すことが可能となる。このように、ファイルバインダ１０１により綴じた状態で保持された紙葉群２０１は、壁掛け月めくりカレンダーとしての使用に供することができる。
【００４１】
月表５０を切り離しても、切り取り用ミシン目１２の上部に相当する残紙１３は、袋状空間７に残る。そして、ユーザは、最前に位置する残紙１３の前面に施された印刷２０を、開口部９を通して目視することができる。当該印刷２０として、例えば、カレンダーとしての紙葉群２０１のスポンサーの広告等を掲載することにより、当該広告等を、切り捨てられることなく、表示し続けることが可能となる。
【００４２】
紙葉群２０１は、図３に例示する紙葉群２０１の側面図のうち、図３（ａ）に例示するように、折り曲げ部分が互いに入れ子となるように、互いに重ね合わせてもよい。この場合には、ステプラーの留め金１４等を用いて綴じることなく、紙葉群２０１をファイルバインダ１０１に装着することも可能となる。図３（ａ）には、ステプラーの留め金１４を用いて綴じられた形態が例示されている。図３（ｂ）は、図２（ｄ）に例示した方法により重ね合わされ、かつステプラーの留め金１４を用いて綴じられた紙葉群２０１の側面図である。
【００４３】
図４は、本発明の別の一実施の形態によるファイルバインダの背面斜視図である。また、図５は、同ファイルバインダの正面斜視図である。図４以下の図においては、図１ないし図３に例示したファイルバインダ及び紙葉群の部分に対応する部分には、同一の符号を付している。図４及び図５に示すファイルバインダ１０２は、前面板部材６の背面から後方へ向かって突起する柱状突起部１５が形成されている点において、図１のファイルバインダ１０１とは異なっている。
【００４４】
図４の例では、柱状突起部１５は水平方向に等間隔に並ぶように、かつ左右対称となる部位に４本形成されている。柱状突起部１５は、背面板部材２の最下端よりも下方に位置し、背面板部材２の下端部５の前方端縁８０よりも後方へ延び、さらに、背面板部材２の本体部４の背面と同一平面上に達している。すなわち、柱状突起部１５は、背面板部材２の背面を壁面へ当接させたときに、先端がこの壁面に当接する長さ、あるいは略当接する長さに設定されている。
【００４５】
また、図４及び図５の例では、図１の例とは異なり、背面板部材４の左右の端縁はいずれも、前面板部材６の対応する端縁から、中央部に向かって後退してはいない。言うまでもなく、この構成によって、本発明の主要な利点が損なわれる訳ではない。
【００４６】
図６は、ファイルバインダ１０２に装着される紙葉群の一枚の例を示す正面斜視図である。この紙葉２０２は、折り曲げ用ミシン目１１が形成されず、代わりに、切り取り用ミシン目１２に沿うように、残紙１３に貫通孔１６が形成されている点において、図２（ｂ）に例示した紙葉２０１とは異なっている。図６の例では、ミシン目１２の下方はカレンダーの月表をなしている。貫通孔１６は、紙葉２０２の綴じ孔として機能するもので、突起１５が挿入可能なように形成されている。ミシン目１２は、貫通孔１６に突起１５を挿入させることにより、紙葉２０２をファイルバインダ１０２に装着したときに、前面板部材６の最下端縁８５に対応する部位に形成される。複数の紙葉２０２をそのまま互いに重ねることにより、紙葉群２０２として、ファイルバインダ１０２に装着することができる。
【００４７】
これに対して、図７に例示するように、２枚の紙葉２０２の上辺同士を互いに連結させてなる紙葉２０３を、ファイルバインダ１０２に装着することも可能である。図７は、ファイルバインダ１０２に装着するために、当該紙葉群２０３を準備する手順を例示する工程図である。紙葉群２０３は、一例として図７（ａ）に示すように、上辺同士が互いに連結して一続きとなっている印刷済みの紙葉を重ね合わせ、当該連結部８３同士を、例えばステプラーの留め金１４によって互いにつなぎ合わせてなるものである。紙葉群２０３は、例えば図７（ａ）の状態で、ユーザに提供される。この紙葉群２０３は、図７（ｂ）に示すように、連結部８３に沿って折り曲げられる。この作業は、例えばユーザによってなされる。折り曲げられた紙葉群２０２は、ファイルバインダ１０２に装着されることにより、例えば壁掛けカレンダーとして使用に供される。
【００４８】
図８は、本発明のさらに別の一実施の形態によるファイルバインダを使用するための作業手順を示す工程図である。図８（ａ）に示すように、このファイルバインダ１０３は、柱状突起部１５が２本であり、突出部３より下方の背面板部材２の左右の端縁がいずれも、前面板部材６の対応する端縁に対して中央寄りに後退している点で、図４及び図５に示したファイルバインダ１０２とは異なっている。柱状突起部１５は、左右対称の部位に、かつ標準的な紙葉の綴じ孔の間隔、すなわち８ｃｍの間隔をもって形成されている。
【００４９】
ファイルバインダ１０３に装着される紙葉群は、図７に例示した紙葉群２０３でも良いが、図８（ａ）には、留め金１４等で互いに綴じられることなく、かつ、上辺同士が連結部８３により連結されない、紙葉群２０２が例示されている。図６に例示したように、各一枚の紙葉２０２は、１箇月分の月表５０を含んでいる。
【００５０】
図８（ａ）に示すように、互いに切り離されている紙葉群２０２を、互いに重ね合わせて、裏返しにしたファイルバインダ１０３の前面板部材６及び背面板部材２の左右のうちの少なくとも一方端縁から、他方端縁へ水平にスライドさせることにより、ファイルバインダ１０３に装着することができる。このとき、紙葉群２０２の上端部を、背面板部材２に覆われない前面板部材６の左右のうちの一方の端部付近の上に置き、かつ柱状突起部１５による干渉を避けるように、紙葉群２０２を湾曲させつつ、他方の端部へ向かってスライドさせる。突出部３より下方の背面板部材２の左右方向端縁が、前面板部材６の対応する端縁に対して中央寄りに後退しているために、紙葉群２０２の上端部を前面板部材６の背面の上に一端載せて、そのままスライドさせることにより、紙葉群２０２を背面板部材２と前面板部材６との間の間隙８１に、楽に滑り込ませることができる。
【００５１】
図８（ｂ）に示すように、紙葉群２０２の左右の位置が、所定の最終位置に定まると、紙葉群２０２の湾曲を元に戻すことにより、柱状突起部１５が貫通孔１６に挿入される。その結果、図８（ｃ）に示すように、紙葉群２０２の貫通孔１６に柱状突起部１５が係合することにより、紙葉群２０２がファイルバインダ１０３に綴じられた状態で保持される。このため、紙葉群２０２の上端部を折り曲げることを要しない。また、柱状突起部１５は、背面板部材２の下端部５の前方端縁８０（図８（ａ）参照）よりも、後方へ延びているので、前方端縁８０と前面板部材６との間の間隙８１から垂れ下がる紙葉群２０２が、柱状突起部１５に安定して保持される。
【００５２】
ファイルバインダ１０３は、図８（ａ）に示すように、突出部３より下方の背面板部材２の左右の双方の端縁が、前面板部材６の対応する端縁に対して中央寄りに後退しているために、紙葉群２０２を、左右のどちらから装着させるのにも適している。右利きのユーザであれば、図８（ａ）に示すように、前面板部材６の背面から見て右側から装着するのが便宜であり、左利きのユーザであれば、その逆の左側から装着するのが便宜である。ファイルバインダ１０３は、このように、右利きと左利きとのいずれのユーザによる使用にも適している。
【００５３】
紙葉群２０２をファイルバインダ１０３に装着する手順とは逆の手順を採ることにより、紙葉群２０２をファイルバインダ１０３から、容易に取り外すことができる。これにより、ユーザは、不要となった紙葉群２０２を、ファイルバインダ１０３から容易に分別して、廃棄することができる。ファイルバインダ１０３は、新たな紙葉群２０２の装着のために、再利用することができる。紙葉群２０２の提供者は、年が改まるなどにより、既に提供している紙葉群２０２が無用となるときには、新たな紙葉群２０２のみを提供すれば足りる。また、紙葉群２０２の提供者は、ファイルバインダ１０３に専用の紙葉群２０２を提供することができ、それにより、ユーザとの関係を維持することも可能となる。さらに、紙葉群２０２は、互いに重ね合わせられた状態で、ユーザに提供することができるので、紙葉群２０２を提供する業者、例えばカレンダー提供者は、紙葉群２０２の一部の紙葉に印刷ミス等があった場合でも、当該不良紙葉のみを、容易に良品と差し替えることが可能である。以上に述べたファイルバインダ１０３に関する利点は、ファイルバインダ１０１及び１０２にも当てはまる。
【００５４】
図９は、本発明のさらに別の一実施の形態によるファイルバインダの正面斜視図である。このファイルバインダ１０４は、背面板部材２の下端部５と前面板部材６との間の間隙８１が、広く形成されている点において、図８に示したファイルバインダ１０３とは異なっている。広い間隙８１は、分厚い紙葉群を保持するのに適している。また、図９に例示するように、背面板部材２の本体部４の上部には、貫通孔１とともに、あるいは貫通孔１に代えて、左右対称の部位に、別の貫通孔７１を形成しても良い。
【００５５】
図１０に示す例では、ファイルバインダ１０４には、カレンダーの日表６０を含む紙葉の一年分が重ね合わされてなる紙葉群２０４が保持されている。分厚い紙葉群２０４を、ファイルバインダ１０４に装着するには、例えば、紙葉群２０４を幾つかの紙葉群に分けて、分けられた各紙葉群を順に、図８を参照しつつ説明した手順に沿って、ファイルバインダ１０４に装着すると良い。また、紙葉群２０４をファイルバインダ１０４に装着する手順とは逆の手順を採ることにより、紙葉群２０４をファイルバインダ１０４から容易に取り外すことができる。ファイルバインダ１０４により綴じた状態で保持された紙葉群２０４は、図１１に使用例を示すように、壁掛け日めくりカレンダーとしての使用に供することができる。また、図１１に例示するように、一対の貫通孔７１には、紐７０を通して、当該紐７０を壁に固定された釘あるいはフック等に係止させることにより、ファイルバインダ１０４を壁に吊しても良い。この形態も、ファイルバインダ１０４が壁面に取り付けられる一形態に含まれる。
【００５６】
図１２は、本発明のさらに別の実施の形態によるファイルバインダの縦断面図である。  図１２（ａ）に例示するファイルバインダ１０５は、前面板部材６の主面が鉛直方向から幾分傾斜している点において、ファイルバインダ１０１〜１０５とは異なっている。このように構成された前面板部材６も、突出部材３の前方端部から下方へ延びていることに相違ない。また、図１２（ａ）に例示するように、突出部材３あるいは背面板部材２の下端部５を肉薄にする等により、それらの部材を弾性変形し易くしてもよい。それにより、間隙８１が弾性復元力をもって容易に拡大し得る。その結果、装着される紙葉群を、前面板部材６と背面板部材２の下端部５とにより、弾性復元力をもって挟持させたり、紙葉群の装着及び脱着の作業を容易なものとしたり、することができる。
【００５７】
図１２（ｂ）に例示するファイルバインダ１０６は、背面板部材２の上端部に突出部材３が連結している点において、ファイルバインダ１０１〜１０５とは異なっている。このように構成された突出部材３も、背面板部材２の下端部５より上方の部位から前方側に突出していることに相違はない。図１２（ｂ）の例では、ファイルバインダ１０６を釘９０等により壁面に取り付けるための貫通孔８７が、背面板部材２の本体部４のうち、突出部材３と下端部５との間の部位に形成されている。また、図１２（ｂ）に示す例では、突出部材３にも貫通孔９１が形成されている。貫通孔９１は、例えば、紐を通して、ファイルバインダ１０６を壁などに吊すのに用いることができる。貫通孔８７及び９１は、例えば、いずれも左右対称の部位に一対形成される。さらに、図１２（ｂ）に示す例では、背面板部材２の本体部４が肉薄に形成されており、それにより、弾性復元力をもって間隙８１を容易に拡げることができる。
【００５８】
図１２（ｃ）に例示するファイルバインダ１０５は、突出部材３が湾曲している点において、既に例示したファイルバインダ１０１〜１０６とは異なっている。このように構成された突出部材３も、背面板部材２から前方側に突出していることに相違はない。また、図１２（ｃ）に示す例では、前面板部材６も幾分湾曲している。このように構成された前面板部材６も、突出部材３の前方端部から下方へ延びていることに相違ない。
【００５９】
図１２（ｄ）に例示するファイルバインダ１０８は、突出部材３のみならず、背面板部材２も湾曲している。より具体的には、背面板部材２から突出部材３を経て、前面板部材６に至るまで、全体において断面が略円形をなすように湾曲している点において、既に例示したファイルバインダ１０１〜１０７とは異なっている。このように構成されたファイルバインダ１０８においても、背面板部材２は、下端部５が前方に向かうように曲がっており、突出部材３は、背面板部材２の下端部５より上方の部位から前方側に突出しており、前面板部材６は、突出部材３の前方端部から下方へ延びていることに変わりはない。図１２（ｄ）に例示される形態も、本発明の範囲内である。図１２（ｄ）に示す例では、図１２（ｂ）の例と同じく、突出部材３にも貫通孔９２が形成されている。貫通孔９２は、例えば、左右対称の部位に一対形成される。
【００６０】
図１３は、本発明のさらに別の実施の形態によるファイルバインダの正面斜視図である。図１３に例示するファイルバインダ１０９は、前面板部材６の背面から突起する柱状突起部１５が、装着可能な別体の部品である点において、ファイルバインダ１０１〜１０８とは異なっている。図１３の例では、前面板部材６を前後に貫通するねじ穴９４に、ねじ９５がねじ込まれることにより、図１等に例示した柱状突起部１５が形成される。このように、柱状突起部１５を装着可能な別体の部品とすることにより、ファイルバインダ１０９を樹脂の一体成型により形成する場合に、製造工程が容易となり、製造コストをさらに引き下げることができる。
【００６１】
柱状突起部１５を別体の部品とする構成として、前面板部材６を前後に貫通する貫通孔に、リベット状の頭付きの柱状体を押し込む形態を採ることも可能である。あるいは、前面板部材６を前後に貫通する貫通孔、あるいは前面板部材６背面に形成された有底の孔に、単なる柱状体を挿入し、当該柱状体を接着剤により前面板部材６に固着させてもよい。以上の例示に限らず、柱状突起部１５を別体の部品とする構成として、様々な形態を採ることができることは、当業者に自明である。
【００６２】
ファイルバインダ１０１、１０４、１０９では、前面板部材６の一部に開口部９が形成されているが、開口部９を形成する代わりに、前面板部材６の少なくとも一部を、透明な材料により形成しても良い。この構成においても、ユーザ等は、紙葉群２０１等の残紙１３に施された印刷を、正面から目視することができる。なお、ここで、「透明」とは、文字等が視認できる程度の透明度であれば足り、例えば、文字等の視認を妨げない程度の着色がほどこされた形態をも含む。
【００６３】
以上の説明では、ファイルバインダの用途として、紙葉群２０１、２０２等を吊り下げて使用する例を示した。しかし、ファイルバインダ１０１、１０２その他は、紙葉群２０１、２０２等を吊り下げる用途に限らず、例えば、紙葉群２０１、２０２等をファイルバインダ１０１、１０２に綴じた状態で、机上に置いていたり、鞄の中に入れて携行したりするなど、他の目的にも使用することが可能である。
【符号の説明】
【００６４】
１  貫通孔
２  背面板部材
３  突出部材
４  本体部
５  下端部
６  前面板部材
７  袋状空間
８  後退した端縁
９  開口部
１０  折り返し綴じ代
１１  折り曲げ用ミシン目
１２  切り取り用ミシン目
１３  残紙
１４  留め金
１５  柱状突起部
１６  貫通孔
２０  印刷（広告）
５０  月表
６０  日表
７０  紐
７１  貫通孔
８０  前方端縁
８１  間隙
８３  連結部
８５  最下端縁
８７  貫通孔
１０１〜１０９  ファイルバインダ
２０１〜２０４  紙葉群、紙葉
【図１】
2014151574.tif 000003
【図２】
2014151574.tif 000004
【図３】
2014151574.tif 000005
【図４】
2014151574.tif 000006
【図５】
2014151574.tif 000007
【図６】
2014151574.tif 000008
【図７】
2014151574.tif 000009
【図８】
2014151574.tif 000010
【図９】
2014151574.tif 000011
【図１０】
2014151574.tif 000012
【図１１】
2014151574.tif 000013
【図１２】
2014151574.tif 000014
【図１３】
2014151574.tif 000015
【手続補正書】
【提出日】平成25年4月26日(2013.4.26)
【手続補正１】
【補正対象書類名】特許請求の範囲
【補正対象項目名】全文
【補正方法】変更
【補正の内容】
【特許請求の範囲】
【請求項１】
下端部が前方に向かうように曲がっている背面板部材と、
前記背面板部材の前記下端部より上方の部位から前方側に突出する突出部材と、
前記突出部材の前方端部から下方へ延びている前面板部材と、
前記前面板部材の背面から後方へ向かって突起する１以上の柱状突起部と、を備え、
前記前面板部材は前記背面板部材の前記下端部の前方端縁よりもさらに下方へ延びており、かつ当該前方端縁との間に間隙を形成しており、
前記１以上の柱状突起部は、前記背面板部材の最下端よりも下方に位置し、前記背面板部材の前記前方端縁よりも後方へ延びている、ファイルバインダ。
【請求項２】
前記１以上の柱状突起部は、前記背面板部材を壁面へ当接させたときに、先端が当該壁面に略当接する長さをもって突起している、請求項１に記載のファイルバインダ。
【請求項３】
前記背面板部材は、左右の端縁のうち少なくとも一方端縁が、前記前面板部材の対応する左右の端縁よりも中央側へ後退している、請求項１又は２に記載のファイルバインダ。
【請求項４】
前記前面板部材の一部に、開口部が形成されている、請求項１ないし３のいずれかに記載のファイルバインダ。
【請求項５】
前記前面板部材の少なくとも一部が、透明である、請求項１ないし３のいずれかに記載のファイルバインダ。
【請求項６】
前記背面板部材には、前記突出部材よりも上方の部位を前後に貫通する貫通孔が形成されている、請求項１ないし５のいずれかに記載のファイルバインダ。
【請求項７】
請求項１ないし６のいずれかに記載のファイルバインダと、
当該ファイルバインダに装着可能であり、かつ各々に印刷が施されている複数の紙葉と、を備え、
当該複数の紙葉の各々の一端部には、当該複数の紙葉を前記ファイルバインダに装着したときに、当該ファイルバインダの前記１以上の柱状突起部に対応する１以上の部位に、貫通孔が形成されており、
前記複数の紙葉の各々の前記一端部には、当該複数の紙葉を前記ファイルバインダに装着したときに、当該ファイルバインダの前記前面板部材の最下端縁に対応する部位に、切り取り用のミシン目が、さらに形成されている、印刷物セット。